(57)【要約】位置固定ユニットは、複数の部分から成る導電性の基体（１）を有している。この基体（１）は、導電性の基体（１）への給電のための接続部（１１ａ，１１ｂ）と、電動モータ（８）のための別の接続部（１２ａ，１２ｂ）とを有していて、非導電性の支持体（２）内に配置されている。この支持体（２）は、少なくとも２つの位置固定孔（３ａ，３ｂ）を有している。本発明による位置固定ユニットでは、複数の部分から成る導電性の基体（１）と、非導電性の支持体（２）とが、共通の切欠き（４）を有している。
2005526472.tif 000002
【特許請求の範囲】
【請求項１】
電動モータ（８）のための位置固定ユニットであって、当該位置固定ユニットが、複数の部分から成る導電性の基体（１）を有しており、該基体（１）が、複数の部分から成る導電性の基体（１）への給電のための接続部（１１ａ，１１ｂ）と、電動モータ（８）のための別の接続部（１２ａ，１２ｂ）とを有していて、非導電性の支持体（２）内に配置されており、該支持体（２）が、少なくとも２つの位置固定孔（３ａ，３ｂ）を有している形式のものにおいて、複数の部分から成る導電性の基体（１）と、非導電性の支持体（２）とが、共通の切欠き（４）を有していることを特徴とする、電動モータのための位置固定ユニット。
【請求項２】
複数の部分から成る導電性の基体（１）が、少なくとも２つの金属薄板片（１ａ，１ｂ）から成っている、請求項１記載の位置固定ユニット。
【請求項３】
非導電性の支持体（２）がプラスチックから成っている、請求項１または２記載の位置固定ユニット。
【請求項４】
位置固定孔（３ａ，３ｂ）が、少なくとも部分的に、複数の部分から成る導電性の基体（１）を貫いて延びている、請求項１から３までのいずれか１項記載の位置固定ユニット。
【請求項５】
複数の部分から成る導電性の基体（１）に２つのコイル（５）が配置されている、請求項１から４までのいずれか１項記載の位置固定ユニット。
【請求項６】
共通の切欠き（４）が中心に配置されている、請求項１から５までのいずれか１項記載の位置固定ユニット。
【請求項７】
電動モータ（８）のための別の接続部（１２ａ，１２ｂ）が、導電性の基体（１）への給電のための接続部（１１ａ，１１ｂ）よりも共通の切欠き（４）の近くに配置されている、請求項６記載の位置固定ユニット。
【請求項８】
非導電性の支持体（２）の一方の面にプラスチックリング（６）が配置されている、請求項１から７までのいずれか１項記載の位置固定ユニット。
【請求項９】
プラスチックリング（６）が、共通の切欠き（４）と反対の側の広幅面に湾曲部（７）を有している、請求項８記載の位置固定ユニット。
【請求項１０】
複数の部分から成る導電性の基体（１）への給電のための接続部（１１ａ，１１ｂ）または電動モータ（８）のための別の接続部（１２ａ，１２ｂ）が、クランプ接続部として形成されている、請求項１から９までのいずれか１項記載の位置固定ユニット。
【請求項１１】
非導電性の支持体（２）に少なくとも１つの突起（１５）が配置されている、請求項１から１０までのいずれか１項記載の位置固定ユニット。
【請求項１２】
当該位置固定ユニットが、電動モータ（８）を位置固定するためにスロットルバルブ管片（１４）内に使用されている、請求項１から１１までのいずれか１項記載の位置固定ユニット。
【発明の詳細な説明】
【技術分野】
【０００１】
本発明は、電動モータのための位置固定ユニットに関する。電動モータを位置固定するための装置は公知である。この公知の装置は、一般的に、直接相並んで配置された２つのボディから成っている。両ボディはたいていプレート状に形成されている。この場合、一方のボディは、ハウジングに対する電動モータの位置決めおよび固定の機能を引き受けている。他方のボディは電気的な接続部を備えている。この接続部は電動モータへの給電を確保している。この場合、電動モータを位置決めしかつ位置固定するための公知の装置は、構成スペースとしての比較的大きな容積が必要になるという欠点を有している。さらに、組付けに比較的手間がかかる。なぜならば、両基体が特殊な形式で互いに位置決めされなければならないからである。
【０００２】
したがって、本発明の課題は、これらの欠点を十分に回避することができる、電動モータを位置固定するための装置を提供することである。
【０００３】
本発明の根底にある課題は、電動モータのための位置固定ユニットであって、当該位置固定ユニットが、複数の部分から成る導電性の基体を有しており、該基体が、複数の部分から成る導電性の基体への給電のための接続部と、電動モータのための別の接続部とを有していて、非導電性の支持体内に配置されており、該支持体が、少なくとも２つの位置固定孔を有している形式のものにおいて、複数の部分から成る導電性の基体と、非導電性の支持体とが、共通の切欠きを有していることによって解決される。位置固定ユニットは、あらゆるタイプの電動モータ、たとえばＤＣ電動モータを位置固定するために適している。複数の部分から成る導電性の基体は少なくとも２つの部分から成っている。基体は、非導電性の支持体内に配置されている。この場合、この支持体は、複数の部分から成る導電性の基体をほぼ完全に取り囲んでいる。この場合、これによって、１つの位置固定ユニットが形成される。非導電性の支持体は少なくとも２つの位置固定孔を有している。これらの位置固定孔は必ずしも円形に形成されている必要はない。しかし、２ｍｍよりも大きな直径を備えた円形の孔形状が実現されると有利である。一般的には、２つの位置固定孔で十分である。両位置固定孔は、専ら位置固定ユニットをハウジングまたは保持手段に固定するために働く。共通の切欠きも同じく、位置固定ユニットに設けられた一種の孔である。この孔内には、電動モータのエンドシールドが配置される。驚くべきことに、複数の部分から成る導電性の基体と、非導電性の支持体とをまとめて、１つのユニットを形成することによって、構成スペースが節約され、これによって、給電だけでなく、ハウジングへの電動モータの固定もしくは位置固定も、個別部材から製造された１つのユニットによって比較的簡単に実現することができると分かった。
【０００４】
本発明の有利な構成では、複数の部分から成る導電性の基体が、少なくとも２つの金属薄板片から成っている。この場合、金属薄板片として、０．１〜２ｍｍの厚さを備えた金属薄板ストリップが適している。金属薄板片は、非導電性の支持体に特に簡単に埋め込むことができる。これによって、位置固定ユニットの製作が簡単になる。
【０００５】
本発明の別の有利な構成によれば、非導電性の支持体がプラスチックから成っている。この場合、位置固定ユニットの製作時に射出成形法の枠内で非導電性の支持体の材料（プラスチック）を、複数の部分から成る導電性の基体を取り囲むように射出成形することによって、この複数の部分から成る導電性の基体を非導電性の支持体内に埋め込むことができると有利である。これによって、位置固定ユニットの製作が同じく容易になる。
【０００６】
本発明の別の有利な構成によれば、位置固定孔が、少なくとも部分的に、複数の部分から成る導電性の基体を貫いて延びている。すなわち、１つまたはそれ以上の位置固定孔が、複数の部分から成る導電性の基体をも貫いて延びている。この場合、有利には、複数の部分から成る導電性の基体が固定手段内に一緒に埋め込まれている限り、ハウジングまたは保持手段への電動モータの固定を位置固定孔を介して、より安定的に行うことができる。
【０００７】
本発明の別の有利な構成では、複数の部分から成る導電性の基体に２つのコイルが配置されている。この場合、各コイルは、複数の部分から成る導電性の基体の少なくとも１つの部分に配置されていて、電流による負荷時に電流によって通電される。さらに、こうして、有利には、位置固定ユニットが妨害防止のために働くことができ、これによって、電磁適合性を改善することができる。この場合、コイルが、非導電性の支持体を越えて突出していることが可能となる。このことは、顧客の要望により行われる。
【０００８】
本発明の別の有利な構成によれば、共通の切欠きが中心に配置されている。これによって、位置固定ユニットへの電動モータの配置が容易になり、同時に、位置固定ユニットを位置固定孔を介してハウジング部分に固定する結合エレメントが均一に負荷される。
【０００９】
本発明の別の構成によれば、電動モータのための別の接続部が、複数の部分から成る導電性の基体への給電のための接続部よりも共通の切欠きの近くに配置されている。これによって、電動モータへの給電を比較的簡単に行うことができる。
【００１０】
本発明の別の有利な構成によれば、非導電性の支持体の一方の面にプラスチックリングが配置されている。このプラスチックリングは、有利には、電動モータを位置固定ユニットによって付加的に外側位置固定するために働く。これによって、共通の切欠きによる電動モータの位置固定が強化される。
【００１１】
本発明の別の構成によれば、プラスチックリングが、共通の切欠きと反対の側の広幅面に湾曲部を有している。一般的にほぼ半円形に形成されている湾曲部は、プラスチックリングへの電動モータの位置固定を付加的に特に有利な形式で強化する。この場合、同時に所定の位置決めまたは同軸的な位置決めを達成することができる。
【００１２】
本発明の別の有利な構成では、複数の部分から成る導電性の基体への給電のための接続部または電動モータのための別の接続部が、クランプ接続部として形成されている。したがって、単に複数の部分から成る導電性の基体への給電のための接続部または単に電動モータのための別の接続部または両形式の接続部をクランプ接続部として形成することができる。この場合、電気的なコンタクティングを比較的迅速に行うことができると有利である。これによって、構成部材内への位置固定ユニットの配置が容易になる。
【００１３】
本発明の別の有利な構成によれば、非導電性の支持体に少なくとも１つの突起が配置されている。この場合、この突起の配置は顧客要望に応じて、非導電性の支持体の種々異なる箇所に行うことができる。位置固定ユニットを位置決めしたいハウジングの構造もしくは位置固定ユニットによって位置固定したい電動モータの構造に応じて、突起は相応にウェブ状に形成される。これによって、同じく位置固定が改善される。
【００１４】
さらに、本発明の対象は、当該位置固定ユニットが、電動モータを位置固定するためにスロットルバルブ管片内に使用されていることである。スロットルバルブ管片内への位置固定ユニットの配置は特に有利である。なぜならば、スロットルバルブ管片内には、一般的にほとんど構成スペースが提供されていないからである。このことは、最初、スロットルバルブを操作するための電動モータの位置固定時に問題を生ぜしめる。スロットルバルブ管片内への位置固定ユニットの配置時には、この問題を十分に有利な形式で回避することができる。
【００１５】
以下に、本発明の実施例を図面につき詳しく説明する。
【００１６】
図１には、電動モータのための位置固定ユニットが示してある。この位置固定ユニットは、複数の部分から成る導電性の基体１を有している。この基体１は、導電性の基体１への給電のための接続部１１ａ，１１ｂと、電動モータのための別の接続部１２ａ，１２ｂとを有していて、非導電性の支持体２内に配置されている。この支持体２は位置固定孔３ａ，３ｂを有している。本発明による位置固定ユニットでは、複数の部分から成る導電性の基体１と、非導電性の支持体２とが、それぞれ正面図および側面図において、共通の切欠き４を有している。位置固定孔３ａ，３ｂは、専ら位置固定ユニットをハウジングに市販の固定エレメントによって固定するために働く。中心に形成された共通の切欠き４内には、複数の部分から成る導電性の基体１がやや張り出している。このことは、打抜き過程によって生ぜしめられている。特に有利には、非導電性の支持体２がプラスチックから製造される。複数の部分から成る導電性の基体１には２つのコイル５が配置されている。両コイル５は、非導電性の支持体２を越えて突出していて、したがって、位置固定ユニットから張り出している。コイル５は電磁適合性を改善するために働き、したがって、チョークとして作用する。電動モータのための別の接続部１２ａ，１２ｂは、複数の部分から成る導電性の基体１への給電のための接続部１１ａ，１１ｂよりも共通の切欠き４の近くに配置されている。非導電性の支持体２の一方の面にはプラスチックリング６が配置されている。このプラスチックリング６は、共通の切欠き４と反対の側の広幅面に湾曲部７を有している。この湾曲部７は一般的に半円形に形成されていて、プラスチックリング６に対する電動モータの付加的な位置固定を強化している。複数の部分から成る導電性の基体１への給電のための接続部１１ａ，１１ｂまたは電動モータのための別の接続部１２ａ，１２ｂは、コンタクトを保証するクランプ接続部として形成されている。非導電性の支持体２には突起１５が配置されている。この突起１５は、電動モータの位置固定を改善するために働く。電動モータの位置決めは、電動モータの構造上の構成もしくはハウジングの構造上の構成に関連していて、さらに、一般的には、その都度の顧客要望に付加的に関連している。
【００１７】
図２には、位置固定ユニットが、図１に示したＡ−Ａ線に沿った断面図で示してある。この場合、コイルは、図面を見やすくするという理由に基づき省略されている。この場合、複数の部分から成る導電性の基体１は少なくとも２つの金属薄板片から成っていて、非導電性の支持体２によってほぼ完全に取り囲まれている。
【００１８】
図３には、複数の部分から成る導電性の基体の構成が示してある。この基体は４つの部分１ａ，１ｂ，１ｃ，１ｄから成っている。電磁適合性を向上させるためのコイルは、ここでも、図面を見やすくするという理由に基づき省略されている。電流は、複数の部分から成る導電性の基体への給電のための接続部１１ａを介して、電動モータのための別の接続部１２ａに流れ、電動モータのための別の接続部１２ｂと、複数の部分から成る導電性の基体への給電のための接続部１１ｂとを介して再びシステムから導出される。部分１ｃ，１ｄは、非導電性の支持体の位置固定孔を中心として配置されていて（図示せず）、したがって、この位置固定孔への固定手段による位置固定を改善している。
【００１９】
図４には、非導電性の支持体２を備えた位置固定ユニットが示してある。支持体２内には、図３に示した複数の部分から成る導電性の基体が埋め込まれている。この場合、この複数の部分から成る導電性の基体は破線で示してある。電動モータのための別の接続部１２ａ，１２ｂは簡単に図示してある。
【００２０】
図５には、電動モータ８に設けられた位置固定ユニットが三次元的に示してある。電動モータ８のモータシャフトには、ピニオン９と磁気ホイール１０とが配置されている。この磁気ホイール１０は電動モータ８の電子的な制御装置に接続されている（図示せず）。位置固定ユニットと電動モータ８とから成る組合せ体は、位置固定孔３ａを介して、設けられたハウジングに固定される（図示せず）。
【００２１】
図６には、位置固定ユニットが、スロットルバルブ管片内に組み付けられた状態で示してある。位置固定孔３ａ，３ｂを介して、位置固定ユニットがスロットルバルブ管片のハウジング１４に位置固定される。電動モータ（図示せず）はモータホール１３、つまり、電動モータを収容するための縦孔内に配置されている。この場合、複数のスロットルバルブが運動させられなければならない場合には、図６に示したように、複数の位置固定ユニットを相並んで配置することが可能となる。
【図面の簡単な説明】
【００２２】
【図１】位置固定ユニットの正面図および側面図である。
【００２３】
【図２】図１に示したＡ−Ａ線に沿った位置固定ユニットの断面図である。
【００２４】
【図３】複数の部分から成る導電性の基体の正面図である。
【００２５】
【図４】非導電性の支持体を備えた位置固定ユニットの正面図である。
【００２６】
【図５】電動モータに設けられた位置固定ユニットを三次元的に示す図である。
【００２７】
【図６】スロットルバルブ管片内に配置された位置固定ユニットを示す図である。
【符号の説明】
【００２８】
１  基体、  １ａ，１ｂ，１ｃ，１ｄ  部分、  ２  支持体、  ３ａ，３ｂ  位置固定孔、  ４  切欠き、  ５  コイル、  ６  プラスチックリング、  ７  湾曲部、  ８  電動モータ、  ９  ピニオン、  １０  磁気ホイール、  １１ａ，１１ｂ  接続部、  １２ａ，１２ｂ  接続部、  １３  モータホール、  １４  ハウジング、  １５  突起
【図１】
2005526472.tif 000003
【図２】
2005526472.tif 000004
【図３】
2005526472.tif 000005
【図４】
2005526472.tif 000006
【図５】
2005526472.tif 000007
【図６】
2005526472.tif 000008
【手続補正書】
【提出日】平成15年10月23日(2003.10.23)
【手続補正１】
【補正対象書類名】特許請求の範囲
【補正対象項目名】全文
【補正方法】変更
【補正の内容】
【特許請求の範囲】
【請求項１】
電動モータ（８）のための位置固定ユニットであって、当該位置固定ユニットが、複数の部分から成る導電性の基体（１）を有しており、該基体（１）が、複数の部分から成る導電性の基体（１）への給電のための接続部（１１ａ，１１ｂ）と、電動モータ（８）のための別の接続部（１２ａ，１２ｂ）とを有していて、非導電性の支持体（２）内に配置されており、該支持体（２）が、少なくとも２つの位置固定孔（３ａ，３ｂ）を有しており、複数の部分から成る導電性の基体（１）と、非導電性の支持体（２）とが、共通の切欠き（４）を有している形式のものにおいて、
複数の部分から成る導電性の基体（１）に２つのコイル（５）が配置されていることを特徴とする、電動モータのための位置固定ユニット。
【請求項２】
複数の部分から成る導電性の基体（１）が、少なくとも２つの金属薄板片（１ａ，１ｂ）から成っている、請求項１記載の位置固定ユニット。
【請求項３】
非導電性の支持体（２）がプラスチックから成っている、請求項１または２記載の位置固定ユニット。
【請求項４】
位置固定孔（３ａ，３ｂ）が、少なくとも部分的に、複数の部分から成る導電性の基体（１）を貫いて延びている、請求項１から３までのいずれか１項記載の位置固定ユニット。
【請求項５】
共通の切欠き（４）が中心に配置されている、請求項１から４までのいずれか１項記載の位置固定ユニット。
【請求項６】
電動モータ（８）のための別の接続部（１２ａ，１２ｂ）が、導電性の基体（１）への給電のための接続部（１１ａ，１１ｂ）よりも共通の切欠き（４）の近くに配置されている、請求項５記載の位置固定ユニット。
【請求項７】
非導電性の支持体（２）の一方の面にプラスチックリング（６）が配置されている、請求項１から６までのいずれか１項記載の位置固定ユニット。
【請求項８】
プラスチックリング（６）が、共通の切欠き（４）と反対の側の広幅面に湾曲部（７）を有している、請求項７記載の位置固定ユニット。
【請求項９】
複数の部分から成る導電性の基体（１）への給電のための接続部（１１ａ，１１ｂ）または電動モータ（８）のための別の接続部（１２ａ，１２ｂ）が、クランプ接続部として形成されている、請求項１から８までのいずれか１項記載の位置固定ユニット。
【請求項１０】
非導電性の支持体（２）に少なくとも１つの突起（１５）が配置されている、請求項１から９までのいずれか１項記載の位置固定ユニット。
【請求項１１】
当該位置固定ユニットが、電動モータ（８）を位置固定するためにスロットルバルブ管片（１４）内に使用されている、請求項１から１０までのいずれか１項記載の位置固定ユニット。
【手続補正２】
【補正対象書類名】明細書
【補正対象項目名】０００３
【補正方法】変更
【補正の内容】
【０００３】
本発明の根底にある課題は、冒頭で述べた形式の、電動モータのための位置固定ユニットにおいて、複数の部分から成る導電性の基体に２つのコイルが配置されていることによって解決される。
位置固定ユニットは、あらゆるタイプの電動モータ、たとえばＤＣ電動モータを位置固定するために適している。複数の部分から成る導電性の基体は少なくとも２つの部分から成っている。基体は、非導電性の支持体内に配置されている。この場合、この支持体は、複数の部分から成る導電性の基体をほぼ完全に取り囲んでいる。この場合、これによって、１つの位置固定ユニットが形成される。非導電性の支持体は少なくとも２つの位置固定孔を有している。これらの位置固定孔は必ずしも円形に形成されている必要はない。しかし、２ｍｍよりも大きな直径を備えた円形の孔形状が実現されると有利である。一般的には、２つの位置固定孔で十分である。両位置固定孔は、専ら位置固定ユニットをハウジングまたは保持手段に固定するために働く。共通の切欠きも同じく、位置固定ユニットに設けられた一種の孔である。この孔内には、電動モータのエンドシールドが配置される。
本発明によれば、複数の部分から成る導電性の基体に２つのコイルが配置されている。この場合、各コイルは、複数の部分から成る導電性の基体の少なくとも１つの部分に配置されていて、電流による負荷時に電流によって通電される。こうして、位置固定ユニットは、組付け時に多くの手間をかけることなしに妨害防止のために働くことができ、これによって、電磁適合性を改善することができる。この場合、コイルが、非導電性の支持体を越えて突出していることが可能となる。このことは、顧客の要望により行われる。
驚くべきことに、複数の部分から成る導電性の基体と、非導電性の支持体とをまとめて、１つのユニットを形成することによって、構成スペースが節約され、これによって、給電だけでなく、ハウジングへの電動モータの固定もしくは位置固定も、個別部材から製造された１つのユニットによって比較的簡単に実現することができると分かった。
【手続補正３】
【補正対象書類名】明細書
【補正対象項目名】０００７
【補正方法】削除
【補正の内容】
【手続補正書】
【提出日】平成16年3月1日(2004.3.1)
【手続補正１】
【補正対象書類名】明細書
【補正対象項目名】０００１
【補正方法】変更
【補正の内容】
【０００１】
本発明は、電動モータのための位置固定ユニットであって、当該位置固定ユニットが、複数の部分から成る導電性の基体を有しており、該基体が、複数の部分から成る導電性の基体への給電のための接続部と、電動モータのための別の接続部とを有していて、非導電性の支持体内に配置されており、該支持体が、少なくとも２つの位置固定孔を有しており、複数の部分から成る導電性の基体と、非導電性の支持体とが、共通の切欠きを有している形式のものに関する。
電動モータを位置固定するための装置は公知である。この公知の装置は、一般的に、直接相並んで配置された２つのボディから成っている。両ボディはたいていプレート状に形成されている。この場合、一方のボディは、ハウジングに対する電動モータの位置決めおよび固定の機能を引き受けている。他方のボディは電気的な接続部を備えている。この接続部は電動モータへの給電を確保している。この場合、電動モータを位置決めしかつ位置固定するための公知の装置は、構成スペースとしての比較的大きな容積が必要になるという欠点を有している。さらに、組付けに比較的手間がかかる。なぜならば、両基体が特殊な形式で互いに位置決めされなければならないからである。
冒頭で述べた形式の位置固定ユニットは、ヨーロッパ特許出願公開第０２１５２５９号明細書に基づき公知である。この公知の解決手段には、妨害防止のためのコイルが記載されていない。すなわち、このコイルはモータ内側に設けられていなければならず、そこに構成スペースを必要とするかまたはコイルは別個に組み付けられなければならない。
【手続補正２】
【補正対象書類名】明細書
【補正対象項目名】０００２
【補正方法】変更
【補正の内容】
【０００２】
ここから出発して、本発明の課題は、簡単に組み付けることができる、妨害防止コイルを備えた電動モータを位置固定するための装置を提供することである。


【国際調査報告】
2005526472.tif 000009
2005526472.tif 000010
2005526472.tif 000011
2005526472.tif 000012
2005526472.tif 000013
2005526472.tif 000014